(57)【要約】【課題】透明又は半透明である前側装飾体と、背後側の回動装飾体との組み合わせによって、バリエーションを伴う装飾効果を実現し得る装身具を提供すること。【解決手段】透明又は半透明である前側装飾体１１を支持する支持具２と、宝石、又は貴金属、又は宝石と貴金属との結合体からなる背後側装飾体１２を、前側方向に揺動自在に支持している横壁３０、又は前側方向と直交する方向に揺動自在に支持している背後壁３１、又は背後壁３１と前側壁３２との双方とを連結する連結支柱４、及び前記支持具２と結合しており、かつ手指による把持又は鎖の貫通の対象となる支持環５を備えることによって、前記課題を達成している二重の装飾体による装身具。【選択図】図３
0003234517.tif 000002
【実用新案登録請求の範囲】
【請求項１】
透明又は半透明である前側装飾体を支持する支持具と、宝石、又は貴金属、又は宝石と貴金属との結合体からなる背後側装飾体を揺動自在に支持している横壁、又は背後壁、又は背後壁と前側壁との双方とを連結する連結支柱、及び前記支持具と結合している支持環を備えている二重の装飾体による装身具。
【請求項２】
背後側装飾体が前後方向と直交する方向の両側に延設されたアームによって軸支されており、当該アームの両端から下方に垂設されたピボット状又は湾曲形状の脚部の下端が横壁の凹部に当接することによって前後方向の揺動自在状態を実現していることを特徴とする請求項１記載の二重の装飾体による装身具。
【請求項３】
背後側装飾体が前後方向と直交する方向の両側端に突起部を有する支柱によって軸支されており、横壁の凹部又は当該横壁の凸部から垂設された支持リングに前記支柱が嵌合することによって前後方向の揺動自在状態を実現していることを特徴とする請求項１記載の二重の装飾体による装身具。
【請求項４】
背後側装飾体が前後方向の両端にピボット状又は湾曲形状の脚部を垂設している支柱によって軸支されており、前記脚部の下端が背後壁及び前側壁の双方の各内側に備えた凹部に当接することによって前後方向と直交する方向の揺動自在状態を実現していることを特徴とする請求項１記載の二重の装飾体による装身具。
【請求項５】
背後側装飾体が上側に支持リング又は鉤部を突設しており、背後壁から前側に突設している支柱に対し、前記鉤部が掛着することによって前後方向と直交する方向の揺動自在状態を実現していることを特徴とする請求項１記載の二重の装飾体による装身具。
【請求項６】
透明又は半透明である前側装飾体がダイヤモンド、サファイア、ルビー、水晶、合成樹脂、ガラスの何れかであることを特徴とする請求項１、２、３、４、５の何れか一項に記載の二重の装飾体による装身具。
【請求項７】
前側装飾体及び背後側装飾体がそれぞれハート形、星形、円形、楕円形の何れかであることを特徴とする請求項１、２、３、４、５の何れか一項に記載の二重の装飾体による装身具。
【請求項８】
前側装飾体及び背後側装飾体が同一形状の星形であって、かつ前側装飾体が突出する角度領域と背後側装飾体が突出する角度領域とが周期的に相違していることを特徴とする請求項７記載の二重の装飾体による装身具。
【請求項９】
支持環に対し、支持具から突設された湾曲状態の鉤部が掛合することによって、前側装飾体が前後方向と直交する方向に揺動自在であることを特徴とする請求項２、３の何れか一項に記載の二重の装飾体による装身具。
【請求項１０】
支持環から前後方向と直交する方向の両側に延設された湾曲脚部における穴部に対し、支持具から同一方向の両側に延設されたアームが嵌合することによって、前側装飾体が前後方向に揺動自在であることを特徴とする請求項４、５の何れか一項に記載の二重の装飾体による装身具。
【考案の詳細な説明】
【技術分野】
【０００１】
本考案は、透明又は半透明である前側装飾体と、宝石、又は貴金属、又は宝石と貴金属との結合からなる背後側装飾体とを不可欠としている二重の装飾体による装身具を対象としている。
【背景技術】
【０００２】
装飾体を軸支した上で揺動自在又は回動自在とする構成は、既に公然と知られている。
【０００３】
例えば、特許文献１においては、ダイヤモンド１６を両側の枢支ピン２２によって軸支した上で、リング部１２の内側におけるダイヤモンド１６の揺動自在状態を実現している（図２、図３）。
【０００４】
更には特許文献２は、ケース４内に収容されている飾体１と一体形成されているラジアルベアリング３を支軸２によって軸支した上で、飾体１の回動自在の状態を実現している。
【０００５】
しかしながら、特許文献１及び同２においては、単一の揺動又は回動する装飾体を開示しているに過ぎず、他の装飾体と揺動又は回動する装飾体との組み合わせによって、バリエーションを伴う装飾効果を実現している訳ではない。
【０００６】
特許文献３においては、透明又は半透明の装飾体の背後にて丸環又は両側のアームによる回転軸によって揺動自在とする反射体とを枠体によって結合することに基づき、反射体の揺動によって装飾体が揺れるような印象を与えるという作用効果を発揮している（図１０〜１４、請求項１及び段落［００１２］）。
【０００７】
特許文献３においては、静止している透明又は半透明の装飾体の揺動する装飾体との結合構成を採用しているが、静止している装飾体と回動する装飾体との組み合わせによって、バリエーションを伴う装飾効果を発揮するような構成を提唱している訳ではない。
【先行技術文献】
【特許文献】
【０００８】
【特許文献１】実用新案登録第３０３３１１９号公報
【特許文献２】特開２００５−２３０２７０号公報
【特許文献３】特開２０２１−６２０３８号公報
【考案の概要】
【考案が解決しようとする課題】
【０００９】
本考案は、透明又は半透明である前側装飾体と、背後側装飾体との組み合わせによって、バリエーションを伴う装飾効果を実現し得る装身具を提供することを課題としている。
【課題を解決するための手段】
【００１０】
前記課題を解決するため、本考案の基本構成は、
（１）透明又は半透明である前側装飾体を支持する支持具と、宝石、又は貴金属、又は宝石と貴金属との結合体からなる背後側装飾体を揺動自在に支持している横壁、又は背後壁、又は背後壁と前側壁との双方とを連結する連結支柱、及び前記支持具と結合している支持環を備えている二重の装飾体による装身具、
（２）背後側装飾体が前後方向と直交する方向の両側に延設されたアームによって軸支されており、当該アームの両端から下方に垂設されたピボット状又は湾曲形状の脚部の下端が横壁の凹部に当接することによって前後方向の揺動自在状態を実現していることを特徴とする前記（１）の二重の装飾体による装身具、
（３）背後側装飾体が前後方向と直交する方向の両側端に突起部を有する支柱によって軸支されており、横壁の凹部又は当該横壁の凸部から垂設された支持リングに前記支柱が嵌合することによって前後方向の揺動自在状態を実現していることを特徴とする前記（１）の二重の装飾体による装身具、
（４）背後側装飾体が前後方向の両端にピボット状又は湾曲形状の脚部を垂設している支柱によって軸支されており、前記脚部の下端が背後壁及び前側壁の双方の各内側に備えた凹部に当接することによって前後方向と直交する方向の揺動自在状態を実現していることを特徴とする前記（１）の二重の装飾体による装身具、
（５）背後側装飾体が上側に支持リング又は鉤部を突設しており、背後壁から前側に突設している支柱に対し、前記鉤部が掛着することによって前後方向と直交する方向の揺動自在状態を実現していることを特徴とする前記（１）の二重の装飾体による装身具、
からなる。
【考案の効果】
【００１１】
基本構成（１）の二重の装飾体による装身具においては、透明又は半透明である前側装飾体と、背後側にて横壁、又は背後壁、又は背後壁と前側壁との双方によって揺動自在に支持されている背後側装飾体との組み合わせによって、透明又は半透明状態を介して把握し得る双方の装飾体のコントラストによるバリエーションを伴う装飾効果を実現することができる。
【００１２】
具体的に説明するに、透明又は半透明である前側装飾体は静止しているか、又は実施例において後述するように背後側装飾体と異なる方向にて揺動自在の状態にあり、その結果、双方の装飾体は作動において相違する一方、背後側装飾体が不透明の光沢状態も選択可能であること（この点は、貴金属又は宝石と貴金属との結合体とが峻別可能であることからも明らかである。）によって、光沢状態においても相違しており、これらの相違を原因とするコントラストによるバリエーションを伴う装飾効果を発揮することができる。
【００１３】
基本構成（２）のように、前後方向と直交する方向の両側に延設されたアームによる背後側装飾体の軸支及びピボット状又は湾曲形状の脚部の下端による横壁の凹部との当接の場合、及び基本構成（３）のように、前後方向と直交する方向の両端側に突起部を有し、かつ背後側装飾体を軸支する支柱による横壁が備えている凹部又は当該横壁の凸部から垂設された支持リングとの嵌合の場合には、何れも背後側装飾体は前後方向に揺動自在の状態を実現している。
【００１４】
これに対し、基本構成（４）のように、前後方向の両端にてピボット状又は湾曲形状の脚部を垂設し、かつ背後側装飾体を軸支している支柱の上記脚部の下端による背後壁及び前側壁の双方の各内側に備えた凹部に対する当接の場合、及び基本構成（５）のように、上側に突設された支持リング又は鉤部による背後壁から突設された支柱に対する掛着の場合には、背後側装飾体は前後方向と直交する方向にて揺動自在の状態を実現している。
【００１５】
背後側装飾体の前後方向における揺動及び前後方向と直交する方向の揺動の何れの場合においても、前記のようなコントラストによるバリエーションを伴う装飾効果の発揮に寄与している。
【図面の簡単な説明】
【００１６】
【図１】実施例１の前側装飾体の特徴点を説明する正面図である。  尚、支持環、前側装飾体及び支持具、湾曲した鉤部以外の図示は省略する。
【図２】実施例２の前側装飾体の特徴点を説明する正面図である。  尚、支持環及びその脚部、前側装飾体及び支持具、更には当該支持具から延設されたアーム以外の図示は省略する。
【図３】基本構成（１）の構成を説明しており、（ａ）は、横壁を採用した場合、背後壁を採用した場合の各正面図であり、（ｂ）は、横壁を採用した場合、背後壁を採用した場合、背後壁及び前側壁の双方を採用した場合の各側面図である。  尚、（ａ）においては、前側装飾体が透明又は半透明であることによって、正面から背後側装飾体を目視することが可能であるが故に、前側装飾体及び背後側装飾体の双方を二重状態にて図示している。  更には、（ａ）、（ｂ）における点線は、各壁が背後側装飾体を揺動自在に支持している状態を示す。  実線は、連結支柱が支持具と各壁とを連結する状態を示す。
【図４】基本構成（２）、（３）を説明する正面図であって、（ａ）は、基本構成（２）の場合を示し、（ｂ）は、基本構成（３）のうち凹部との嵌合の場合を示し、（ｃ）は、基本構成３のうち支持リングとの嵌合の場合を示す。  尚、（ａ）、（ｂ）においては、凹部及びその近傍の領域を破断面によって示す。
【図５】基本構成（４）、（５）の構成を示す側面図であって、（ａ）は、基本構成（４）の場合を示し、（ｂ）は、基本構成（５）の場合を示す。  尚、（ａ）においては、凹部及びその近傍の領域を破断面によって示す。
【図６】背後側装飾体の具体的形状を示す平面図であって、（ａ）は、ハート形の場合を示し、（ｂ）は、星形の場合を示し、（ｃ）は、円形の場合を示し、（ｄ）は、楕円形の場合を示す。
【考案を実施するための形態】
【００１７】
基本構成（１）は、図３（ａ）、（ｂ）に示すように、透明又は半透明である前側装飾体１１を支持する支持具２と、宝石、又は貴金属、又は宝石と貴金属との結合体からなる背後側装飾体１２を揺動自在に支持している横壁３０、又は背後壁３１、又は背後壁３１と前側壁３２との双方とを連結する連結支柱４、及び前記支持具２と結合している支持環５を備えている二重の装飾体による装身具である。
【００１８】
図３（ａ）、（ｂ）からも明らかなように、本考案においては前側装飾体１１及び背後側装飾体１２の作動上の相違、及び光沢上の相違を原因とするコントラストのバリエーションを伴う装飾効果を発揮することができ、この点は既に効果の項において説明した通りである。
【００１９】
基本構成（１）においては、図３（ｂ）の点線に示すように、横壁３０、又は背後壁３１、又は背後壁３１と前側壁３２との双方が背後側装飾体１２を揺動自在に支持していることを要件としているが、当該要件の典型例は、基本構成（２）、（３）、（４）、（５）に示す通りである。
【００２０】
基本構成（２）は、図４（ａ）に示すように、背後側装飾体１２が前後方向と直交する方向の両側に延設されたアーム７によって軸支されており、当該アーム７の両端から下方に垂設されたピボット状又は湾曲形状の脚部７１の下端が横壁３０の凹部９１に当接することによって前後方向の揺動自在状態を実現しており、
基本構成（３）は、図４（ｂ）、（ｃ）に示すように、背後側装飾体１２が前後方向と直交する方向の両側端に突起部８１を有する支柱８によって軸支されており、横壁３０の凹部９１又は当該横壁３０の凸部９２から垂設された支持リング１０に前記支柱８が嵌合することによって前後方向の揺動自在状態を実現している。
【００２１】
これに対し、基本構成（４）は、図５（ａ）に示すように、背後側装飾体１２が前後方向の両端にピボット状又は湾曲形状の脚部８２を垂設している支柱８によって軸支されており、前記脚部８２の下端が背後壁３１及び前側壁３２の双方の各内側に備えた凹部９１に当接することによって前後方向と直交する方向の揺動自在状態を実現している。
【００２２】
基本構成（５）は、図５（ｂ）に示すように、背後側装飾体１２が上側に支持リング１０又は鉤部１３を突設しており、背後壁３１から前側に突設している支柱８に対し、前記鉤部１３が掛着することによって前後方向と直交する方向の揺動自在状態を実現している。
【００２３】
このように、基本構成（１）の揺動自在状態は、基本構成（２）、（３）のような前後方向の揺動及び、基本構成（４）、（５）のような前後方向と直交する方向の揺動の双方に立脚している。
【００２４】
基本構成（１）においては、図３（ｂ）の実線に示すように、前側装飾体１１を支持する支持具２と、背後側装飾体１２を揺動自在に支持する横壁３０、又は背後壁３１、又は背後壁３１と前側壁３２との双方とを連結支柱４によって連結することを要件としている。
【００２５】
このような要件によって、基本構成（１）の二重の装飾体による装身具は、支持環５に対する手指による把持又は支持環５を貫通する鎖による支持を介して装飾効果を発揮することができる。
【００２６】
前側装飾体１１の透明又は半透明状態を実現する素材としては、ダイヤモンド、サファイア、ルビー等の宝石だけでなく、水晶、合成樹脂、ガラス等の宝石以外の素材をも採用することができる。
【００２７】
既に効果の項において説明したように、背後側装飾体１２は透明又は半透明であることを必ずしも必要としている訳ではないが、前側装飾体１１と異なるカラーによる半透明体を採用することによって、前側装飾体１１との光沢上のコントラストを実現することもできる。
【００２８】
前側装飾体１１及び背後側装飾体１２はそれぞれ、様々な形態を採用することが可能であって、典型例としては、図６（ａ）、（ｂ）、（ｃ）、（ｄ）に示すように、ハート形、星形、円形、楕円形を挙げることができる。
【００２９】
前側装飾体１１と背後側装飾体１２とは同一、又は類似形状、又は異なる形状の何れをも選択することができる。
【００３０】
特に、前後方向と直交する方向において、前側装飾体１１及び背後側装飾体１２とが主として存在する領域を分配するような構成、具体的には、図６（ｂ）に示す星形において、前側装飾体１１が突出する角度領域と、背後側装飾体１２が突出する角度領域とを周期的に相違する状態とすることによって、光沢上のコントラストによる美観を明瞭に発揮することができる。
【００３１】
以下、実施例に即して説明する。
【実施例１】
【００３２】
実施例１は、図１に示すように、支持環５に対し、支持具２から突設された湾曲状態の鉤部１３が掛合することによって、前側装飾体１１が前後方向と直交する方向に揺動自在であることを特徴としている。
【００３３】
このような特徴に立脚している実施例１においては、前側装飾体１１の前後方向と直交する方向における揺動と、背後側装飾体１２の前後方向における揺動につき、立体的なバリエーションによる装飾効果を発揮することができる。
【実施例２】
【００３４】
実施例２は、図２に示すように、支持環５から前後方向と直交する方向の両側に延設された湾曲脚部５１における穴部に対し、支持具２から同一方向の両側に延設されたアーム７が嵌合することによって、前側装飾体１１が前後方向に揺動自在であることを特徴としている。
【００３５】
このような特徴点に立脚している実施例２においては、前側装飾体１１における前後方向の揺動と、背後側装飾体１２における前後方向と直交する方向の揺動とによる立体的なバリエーションによる装飾効果を発揮することができる。
【産業上の利用可能性】
【００３６】
このように本願考案は、透明又は半透明である前側装飾体と背後側装飾体との二重構成によって、作動及び光沢上のコントラストによるバリエーションのある装飾効果を、様々な実施形態の下に実現しており、装身具の分野における利用価値及び利用範囲は絶大である。
【符号の説明】
【００３７】
１１  透明又は半透明である前側装飾体
１２  背後側装飾体
１３  鉤部
２    支持具
３０  横壁
３１  背後壁
３２  前側壁
４    連結支柱
５    支持環
５１  支持環から延設された脚部
７    アーム
７１  アームから垂設された脚部
８    支柱
８１  突起部
８２  支柱から垂設された脚部
９１  凹部
９２  凸部
１０  支持リング
【図１】
0003234517.tif 000003
【図２】
0003234517.tif 000004
【図３】
0003234517.tif 000005
【図４】
0003234517.tif 000006
【図５】
0003234517.tif 000007
【図６】
0003234517.tif 000008